(57)【特許請求の範囲】
【請求項１】
パネルの目地に充填されるシーリング材の裏面側を規制するシーリングバックアップ材であって、
裏面側が開口した断面略コの字状の弾性体からなる芯材と、
該芯材の表面側に、弾性変形可能な両側端を芯材の両側から夫々突出させて、その幅が前記目地の最小幅から最大幅の範囲内となるように設けられたシーリング代材と、
前記芯材の両側端部から両側方に夫々突設されて、その幅が前記目地の最大幅より大きくなるように設けられ、前記目地内で夫々弾性変形する羽根状の第１の固定部材と、
前記芯材の表面と両側端部の中間付近から両側方に夫々突設されて、その幅が前記第１の固定部材と同等であり、前記目地内で夫々弾性変形して前記シーリング代材と接触する羽根状の第２の固定部材と、を具備したものであることを特徴とするシーリングバックアップ材。
【請求項２】
前記固定部材は、シーリングバックアップ材の表面側に向かって斜め方向に夫々突出されたものであることを特徴とする請求項１に記載のシーリングバックアップ材。
【発明の詳細な説明】
【０００１】
【発明の属する技術分野】
本発明は、パネルの目地に充填されるシーリング材の裏面側を規制するシーリングバックアップ材、特に目地の幅がばらついても、目地内に安定的に納まってシーリング代を確保することができるシーリングバックアップ材に関するものである。
【０００２】
【従来の技術】
一般に、住宅の外壁パネル等の目地にはシーリング材が充填されるが、該シーリング材の充填深さを規制する下地としてシーリングバックアップ材が設けられることが多い。そのようなシーリングバックアップ材には、従来、例えば発泡ポリエチレン等の発泡合成樹脂を角形又は円形の棒状に成形したものが用いられていた。
【０００３】
図５は、従来のシーリングバックアップ材が設けられた外壁パネルの目地部分の構造を示す断面図である。図に示すように、外壁パネル１は、軸組２に取付金具３により固定されており、外壁パネル１の内側には断熱材４が設けられている。該外壁パネル１間、即ち目地には、奥部にシーリングバックアップ材５が配置されており、その上からシーリング材６が充填され、これにより、目地のシーリングが施されている。
【０００４】
【発明が解決しようとする課題】
前記外壁パネル１等の目地の幅は、例えば８〜１２ｍｍ程度の所定範囲に調整されているが、これに対し、例えば１０ｍｍ幅のシーリングバックアップ材５を用いたとすれば、シーリングバックアップ材５と目地との間には最大２ｍｍ程度の寸法誤差があることとなる。
【０００５】
シーリングバックアップ材５に対して目地の幅が狭い場合には、シーリングバックアップ材５を圧縮変形させながら、例えばヘラ等を用いて、目地の奥部にまで押し込むこととなるが、該押込み作業は作業者の熟練により仕上げが異なり、不慣れな作業者では、押込み深さが不均一となり易い。その結果、その後に充填するシーリング材６の充填量も不均一となって、シーリングが不十分な箇所が生じるという問題がある。
また、シーリングバックアップ材５の裏面側と当接する取付金具３は、シーリングバックアップ材５の高さ全域に対して数箇所にのみ存在するものであるので、取付金具３が存在しない箇所で、シーリングバックアップ材５を前述したように無理に押し込んだ場合に、シーリングバックアップ材５が外壁パネル１の裏側に落ち込んでしまうことも多い。
【０００６】
一方、シーリングバックアップ材５に対して目地の幅が広い場合には、目地内におけるシーリングバックアップ材５の納まりが悪くなって、隙間や転びが生じる等の不安定な状態となる。例えば、シーリングバックアップ材５と外壁１との間に隙間が生じた上からシーリング材６を充填したとすれば、気温の変化等により該隙間の空気が膨張し、シーリング材６に膨らみ等が発生して見栄えが悪くなるという問題がある。
【０００７】
本発明は、かかる問題に鑑みてなされたものであり、目地の幅にばらつきが生じても、目地内で安定して納まってシーリング代を確保することができるシーリングバックアップ材を提供することを目的とする。
【０００８】
【課題を解決するための手段】
前記目的を達成するためになされた本発明の請求項１に係るシーリングバックアップ材は、パネルの目地に充填されるシーリング材の裏面側を規制するシーリングバックアップ材であって、裏面側が開口した断面略コの字状の弾性体からなる芯材と、該芯材の表面側に、弾性変形可能な両側端を芯材の両側から夫々突出させて、その幅が前記目地の最小幅から最大幅の範囲内となるように設けられたシーリング代材と、前記芯材の両側端部から両側方に夫々突設されて、その幅が前記目地の最大幅より大きくなるように設けられ、前記目地内で夫々弾性変形する羽根状の第１の固定部材と、前記芯材の表面と両側端部の中間付近から両側方に夫々突設されて、その幅が前記第１の固定部材と同等であり、前記目地内で夫々弾性変形して前記シーリング代材と接触する羽根状の第２の固定部材と、を具備したものである。
前記シーリング代材、第１及び第２の固定部材が目地の幅に応じて弾性変形して、目地の幅のばらつきに対応するとともに、目地の内面を押圧してシーリングバックアップ材の納まりを安定させる。
また、前記第２の固定部材は、目地内においてシーリング代材側へ弾性変形してシーリング代材と接触し、目地の幅がシーリング代材より広い場合に、シーリング代材と相まってシーリング代を確保する。
また、前記第１及び第２の固定部材により、シーリングバックアップ材は複数箇所において目地の内面と夫々接触して、安定的に固定される。
また、前記芯材の両側端が内方向に弾性的に傾動可能となり、シーリングバックアップ材を目地に圧入する際に必要とされる力が軽減される。
【０００９】
また、本発明（請求項２）は、請求項１に記載のシーリングバックアップ材において、前記固定部材は、シーリングバックアップ材の表面側に向かって斜め方向に夫々突出されたものである。
これにより、前記第１及び第２の固定部材は、シーリングバックアップ材の表面側へ弾性変形し易く、裏面側へ弾性変形し難いものとなって、目地への圧入時及び納まり時のシーリングバックアップ材の安定性を向上させる。
【００１０】
【発明の実施の形態】
以下、本発明の実施の形態を図面に基づき具体的に説明する。
図１は、本発明の実施の形態に係るシーリングバックアップ材１００の断面の構成を示す図であるが、図に示すように、本シーリングバックアップ材１００は、芯材１０１と、芯材１０１の表面に設けられたシーリング代材１０２と、芯材１０１の両側面から夫々突出するように設けられた第１の固定部材１０３Ａ及び第２の固定部材１０３Ｂとを具備してなる棒状のものである。
【００１１】
芯材１０１は、裏面側が開口した断面略コの字状のものであり、その両側端部１０が外方向に夫々やや曲折して該開口が拡幅されたものとなっている。芯材１０１の横幅は特に限定されるものではなく、本シーリングバックアップ材１００を配置すべき目地の最小幅より小さければよい。また、芯材１０１の素材も特に限定されるものではないが、例えば熱可塑性エラストマー等の合成樹脂とすれば、連続的に成形された棒状のシーリングバックアップ材１００を巻き取った状態で保存及び運搬し、施工現場で目地の長さにあわせて切断加工でき、取扱いが便利となるのでが好ましく、更に好ましくは、芯材１０１に設けられるシーリング代材１０２等と同種の素材であって、シーリング代材１０２等より剛性の高いものがよい。
【００１２】
なお、断面略コの字状の前記芯材１０１に代えて、角形や円形の棒状体を用いることができるが、裏面側が開口されたコの字状とすることにより、両側端部１０近傍が内方向、即ち開口が閉じる方向に傾動可能となり、本シーリングバックアップ材１００を目地に圧入する際に必要とされる力が軽減して、施工性が向上するので好ましい。
【００１３】
シーリング代材１０２は平板状のものであり、芯材１０１の表面側に、その両側端２０が芯材１０１の両側から夫々突出するように設けられている。各側端２０は、芯材１０１から夫々均等に突出しており、弾性変形が可能なものである。シーリング代材１０２の幅Ｗ１は、本シーリングバックアップ材１００を配置すべき目地の最小幅より大きければ特に限定されるものではないが、該目地の標準幅から最大幅の範囲内であることが好ましい。また、シーリング代材１０２の素材は、弾性変形が可能なものであれば特に限定されるものではないが、前述したように、例えば芯材１０１に硬質の熱可塑性エラストマーを用いた場合には、軟質の熱可塑性エラストマーを用いる等、該芯材１０１より剛性の低いものを用いることが好ましい。
なお、シーリング代材１０２の表面は必ずしも平面である必要はなく、その上に充填されるシーリング材の種類等に応じて所望の形状とすることができる。
【００１４】
第１の固定部材１０３Ａは、前記芯材１０１の両側端部１０から外方向に夫々突設された羽根状のものである。左右の第１の固定部材１０３Ａにより形成される幅Ｗ２は、本シーリングバックアップ材１００を配置すべき目地の最大幅より大きく、例えば、前記シーリング代材１０２の幅Ｗ１を目地の標準幅とすれば、第１の固定部材１０３Ａは、該シーリング代材１０２の両側端より外方向に突出したものとなる。一方、該幅Ｗ２を目地の最大幅よりあまりに大きくすれば、目地内で弾性変形した際に目地の内面と接触する面積が広くなり、該接触面に生じる摩擦抵抗の分だけ、シーリングバックアップ材１００を目地内に圧入するための力が更に要求されて施工性が劣るので、例えば目地の最大幅から１〜５割程度大きくする等、施工性を考慮した適度な大きさとすることが好ましい。
【００１５】
また、各第１の固定部材１０３Ａは表面側に向かって斜め方向に夫々突出しており、これにより、第１の固定部材１０３Ａが表面側へ弾性変形し易い一方、裏面側ヘ弾性変形し難いものとなって、例えば、本シーリングバックアップ材１００を目地に圧入する際の力が左右不均一であった場合等にも、一方の第１の固定部材１０３Ａが表面側に、他方の第１の固定部材１０３Ａが裏面側に弾性変形して、シーリングバックアップ材１００が目地内で傾ぐことがなく、安定的に圧入される。従って、シーリングバックアップ材１００を圧入する際に、作業者の熟練度に拘わらず、常に安定して目地内に納まってシーリング代が形成される。
【００１６】
第２の固定部材１０３Ｂは、前記芯材１０１の表面と両側端部１０の中間付近から外方向に夫々突設された羽根状のものであり、左右の第２の固定部材１０３Ｂにより形成される幅は前記第１の固定部材１０３Ａにより形成される幅Ｗ２と同等である。また、各第２の固定部材１０３Ｂも、第１の固定部材１０３Ａと同様に、表面側に向かって斜め方向に夫々突出しており、表面側へ弾性変形し易い一方、裏面側ヘ弾性変形し難いものとなっているので、シーリングバックアップ材１００の圧入時及び納まり時の安定性を向上させる。
【００１７】
なお、本実施の形態においては、芯材の両側に各々２つの固定部材を設けるものとしたが、本発明においては、例えばシーリングバックアップ材の厚み等にあわせて、該固定部材の数を増減することができる。
【００１８】
以下、本シーリングバックアップ材１００の使用方法について説明する。
図２は、本シーリングバックアップ材１００が目地内に配置された状態を示す断面図であり、外壁パネル１は、図５で示したように軸組等に取り付けられたものであるが、本図においては説明の便宜上、軸組や取付金具等は省略している。
本シーリングバックアップ材１００は、該外壁パネル１間の目地の奥部に配置されて、その後に該目地に充填されるシーリング材の裏面側を規制する下地となる。なお、図２における目地の幅Ｌ１は標準的な幅、即ち調整された目地の幅範囲の中央値である。
【００１９】
図２に示すように構成された外壁パネル１間の目地にシーリングバックアップ材１００を圧入する場合は、まず、運搬等のために巻取り等されているシーリングバックアップ材１００を、目地の長さにあわせて切断する。切断したシーリングバックアップ材１００を、その表面、即ちシーリング代材１０２が手前を向くようにして、目地の端部から順次圧入していく。このとき、例えば目地奥部に取付金具等が存在してシーリングバックアップ材１００の圧入深さを規制するのであれば、該取付金具に当接するまでシーリングバックアップ材１００を圧入すればよいが、シーリングバックアップ材１００の圧入深さを規制する部材が存在しない場合には、シーリングバックアップ材１００を目地内の均一な深さまで圧入できるように、適当なヘラや治具等を用いて圧入することが好ましい。
【００２０】
シーリングバックアップ材１００を目地に圧入すると、目地の幅より広く突出した第１の固定部材１０３Ａ及び第２の固定部材１０３Ｂは、表面側へ夫々弾性変形し、各第１の固定部材１０３Ａ及び各第２の固定部材１０３Ｂの先端近傍が目地の内面と面で接触し、その弾性により該接触面で目地の内面を押圧する。一方、シーリング代材１０２の幅Ｗ１は目地幅Ｌ１と同等であるが、図に示すように、第２の固定部材１０３Ｂの弾性変形により、その両側端２０が表面側に夫々やや弾性変形し、各第２の固定部材１０３Ｂと面で接触する。
【００２１】
このように、シーリングバックアップ材１００は、各第１の固定部材１０３Ａ及び各第２の固定部材１０３Ｂにより４箇所で目地の内面と面で接触して目地の奥部で安定的に固定されて納まり、隙間等を生じさせることなく目地全体にシーリング代が確保される。
【００２２】
図３は、図に示す目地の幅Ｌ２が、調整された目地の幅範囲の最小値である場合の、シーリングバックアップ材１００の使用状態を示す断面図であるが、この場合も、該目地の奥部にまでシーリングバックアップ材１００を圧入する方法は、前述と同様である。
【００２３】
図に示すように、目地に圧入されたシーリングバックアップ材１００は、目地の幅Ｌ２より広く突出した第１の固定部材１０３Ａ及び第２の固定部材１０３Ｂが表面側へ夫々弾性変形して目地の内面と面で接触し、その弾性により該接触面で目地の内面を押圧する。一方、シーリング代材１０２の幅Ｗ１は目地の幅Ｌ２より広いので、その両側端２０が表面側に夫々弾性変形し、既に弾性変形した各第２の固定部材１０３Ｂと面で接触する。
【００２４】
このように、目地の幅Ｌ２が狭い場合にも、シーリング代材１０２、第１の固定部材１０３Ａ、及び各第２の固定部材１０３Ｂが夫々弾性変形することにより、シーリングバックアップ材１００を容易且つ安定的に目地に圧入することができ、また、前述と同様に、シーリングバックアップ材１００は、各第１の固定部材１０３Ａ及び各第２の固定部材１０３Ｂにより４箇所で目地の内面と面で接触して、目地の奥部で安定的に固定されて納まり、隙間等を生じさせることなく目地全体にシーリング代が確保される。
【００２５】
なお、目地の幅Ｌ２が狭い場合には、シーリングバックアップ材１００の裏面側を両側から内方向に挟むようにすれば、芯材１０１の両側端部１０が内方向に弾性的に傾動されて該裏面側の幅が若干小さくなるので、シーリングバックアップ材１００を容易に目地に圧入することができる。
【００２６】
図４は、図に示す目地の幅Ｌ３が、調整された目地の幅範囲の最大値である場合の、シーリングバックアップ材１００の使用状態を示す断面図であるが、この場合も、目地の奥部にまでシーリングバックアップ材１００を圧入する方法は、前述と同様である。
【００２７】
図に示すように、目地に圧入されたシーリングバックアップ材１００は、目地の幅Ｌ３より広く突出した第１の固定部材１０３Ａ及び第２の固定部材１０３Ｂが表面側へ夫々弾性変形して目地の内面と面で接触し、その弾性により該接触面で目地の内面を押圧する。一方、シーリング代材１０２の幅Ｗ１は目地の幅Ｌ３より狭いので、その両側端２０は弾性変形しないが、各第２の固定部材１０３Ｂが表面側に弾性変形することにより、該第２の固定部材１０３Ｂと接触する。
【００２８】
このように、目地の幅Ｌ３が広い場合にも、第１の固定部材１０３Ａ及び各第２の固定部材１０３Ｂが夫々弾性変形することにより、シーリングバックアップ材１００を容易且つ安定的に目地に圧入することができ、また、シーリングバックアップ材１００は、各第１の固定部材１０３Ａ及び各第２の固定部材１０３Ｂにより４箇所で目地の内面と面で接触して、目地の奥部で安定的に固定されて納まる。更に、目地の幅Ｌ３がシーリング代材１０２の幅Ｗ１より広い場合にも、シーリング代材１０２と第２の固定部材１０３Ｂにより、隙間等を生じさせることなく目地全体にシーリング代が確保される。
【００２９】
なお、本実施の形態では、シーリングバックアップ材１００を外壁パネル１間の目地に配置する場合について説明したが、本発明に係るシーリングバックアップ材を配置すべき目地は外壁パネル間に限定されるものではなく、例えば、外壁パネルと外装付帯材との間の目地や、サッシとの間の目地等においても使用できることは勿論である。
【００３０】
【発明の効果】
以上説明したように、本発明に係るシーリングバックアップ材によれば、裏面側が開口した断面略コの字状の弾性体からなる芯材と、該芯材の表面側に、弾性変形可能な両側端を芯材の両側から夫々突出させて、その幅が前記目地の最小幅から最大幅の範囲内となるように設けられたシーリング代材と、前記芯材の両側端部から両側方に夫々突設されて、その幅が前記目地の最大幅より大きくなるように設けられ、前記目地内で夫々弾性変形する羽根状の第１の固定部材と、前記芯材の表面と両側端部の中間付近から両側方に夫々突設されて、その幅が前記第１の固定部材と同等であり、前記目地内で夫々弾性変形して前記シーリング代材と接触する羽根状の第２の固定部材とが、目地の幅に対応して夫々弾性変形するとともに、目地の内面を押圧してシーリングバックアップ材を目地内に安定的に固定する。これにより、目地の幅にばらつきがある場合においても、シーリングバックアップ材は目地内に安定的に納まるので、隙間等を生じさせることなくシーリング代を確保することができる。
また、本発明によれば、前記第２の固定部材が目地内においてシーリング代材側へ弾性変形してシーリング代材の両側端と夫々接触してシーリング代を形成するので、目地の幅がシーリング代材より広い場合にも、隙間等を生じさせることなくシーリング代を確保することができる。
また、本発明によれば、前記各固定部材により、複数箇所において目地の内面と夫々接触して、シーリングバックアップ材が目地内に安定的に固定される。
また、本発明によれば、前記芯材を、裏面側が開口した断面略コの字状の弾性体としたので、該芯材の両側端が内方向に弾性的に傾動可能となり、シーリングバックアップ材を目地に圧入することが容易となり、施工性が向上される。
【００３１】
また、本発明によれば、前記固定部材を、シーリングバックアップ材の表面側に向かって斜め方向に夫々突出させ、シーリングバックアップ材の表面側へ弾性変形し易く、裏面側へ弾性変形し難いものとしたので、シーリングバックアップ材を圧入する際に、作業者の熟練度に拘わらず、安定して目地内に納まってシーリング代が形成される。
【図面の簡単な説明】
【図１】  本発明の実施の形態に係るシーリングバックアップ材１００の構成を示す断面図である。
【図２】  外壁パネル１間の目地にシーリングバックアップ材１００が配置された状態を示す断面図である。
【図３】  外壁パネル１間の目地にシーリングバックアップ材１００が配置された状態を示す断面図である。
【図４】  外壁パネル１間の目地にシーリングバックアップ材１００が配置された状態を示す断面図である。
【図５】  外壁パネル１間の目地に従来のシーリングバックアップ材５が配置された状態を示す断面図である。
【符号の説明】
１００  シーリングバックアップ材
１０１  芯材
１０２  シーリング代材
１０３Ａ  第１の固定部材
１０３Ｂ  第２の固定部材
【図１】
0003644632.tif 000002
【図２】
0003644632.tif 000003
【図３】
0003644632.tif 000004
【図４】
0003644632.tif 000005
【図５】
0003644632.tif 000006